(57)【特許請求の範囲】
【請求項１】
（ａ）内部オレフィンスルホン酸のカリウム塩と（ｂ）硬度が５°ＤＨ以上の水とを混合して得た洗浄液を硬質物品と接触させる接触工程と、接触工程後の硬質物品を硬度が５°ＤＨ以上の水ですすぐ工程とを有する硬質物品の洗浄方法であって、
前記接触工程の少なくとも一部で、３０℃以上の前記洗浄液を硬質物品と接触させる、
硬質物品の洗浄方法。
【請求項２】
硬質物品が食器である、請求項１記載の硬質物品の洗浄方法。
【請求項３】
前記接触工程の少なくとも一部で、４０℃以上の前記洗浄液を硬質物品と接触させる、請求項１又は２記載の硬質物品の洗浄方法。
【請求項４】
（ａ）中のスルホン酸基が２位に存在する内部オレフィンスルホン酸のカリウム塩の割合が、５質量％以上２０質量％以下である、請求項１〜３の何れか１項記載の硬質物品の洗浄方法。
【請求項５】
前記洗浄液が、（ａ）として、炭素数１６以上１８以下の内部オレフィンスルホン酸のカリウム塩を含有する、請求項１〜４の何れか１項記載の硬質物品の洗浄方法。
【請求項６】
（ａ）における炭素数１６の内部オレフィンスルホン酸のカリウム塩（以下Ｃ１６ＩＯＳ−Ｋという）と炭素数１８の内部オレフィンスルホン酸のカリウム塩（以下Ｃ１８ＩＯＳ−Ｋという）の質量比が、Ｃ１６ＩＯＳ−Ｋ／Ｃ１８ＩＯＳ−Ｋで、０．１以下である、請求項１〜５の何れか１項記載の硬質物品の洗浄方法。
【請求項７】
前記洗浄液が、（ａ）を０．００１質量％以上３０質量％以下含有する、請求項１〜６の何れか１項記載の硬質物品の洗浄方法。
【請求項８】
前記接触工程で、３０℃以上の前記洗浄液に硬質物品を浸漬させる、請求項１〜７の何れか１項記載の硬質物品の洗浄方法。
【請求項９】
硬質物品の材料がプラスチックを含む、請求項１〜８の何れか１項記載の硬質物品の洗浄方法。
【請求項１０】
硬質物品の材料がガラスを含む、請求項１〜９の何れか１項記載の硬質物品の洗浄方法。
【請求項１１】
（ａ）内部オレフィンスルホン酸のカリウム塩と（ｂ）硬度が５°ＤＨ以上の水とを配合してなる組成物の、硬質物品用洗浄剤としての使用。
【発明の詳細な説明】
【技術分野】
【０００１】
本発明は、硬質物品の洗浄方法、及び硬質物品用洗浄剤組成物に関する。【０００２】
背景技術
アニオン性界面活性剤は、洗浄力及び起泡性に優れており、洗浄剤の成分として広く用いられている。アニオン性界面活性剤の一つとして、二重結合をオレフィン鎖の末端ではなく内部に有する内部オレフィンを原料として得られる内部オレフィンスルホン酸塩が知られている。内部オレフィンスルホン酸塩は、例えば内部オレフィンをガス状三酸化硫黄含有ガスと反応させてスルホン化し、その得られたスルホン酸を中和後、更に加水分解することにより得られる。内部オレフィンスルホン酸塩は、生分解性が良好であることが知られている。【０００３】
従来、内部オレフィンスルホン酸塩を、食器などの物品の洗浄に用いることが提案されている。
米国特許第５０７８９１６号明細書には、少なくとも２５質量％がベータヒドロキシアルカンスルホン酸の形態である炭素数８〜２６の内部オレフィンスルホン酸塩を含有する洗浄剤組成物が記載されている。
特開２０１６−３５００９号公報には、内部オレフィンスルホン酸塩を１質量％以上４０質量％以下含有する、硬質表面用バイオフィルム除去剤組成物が記載されている。
特開２０１６−１４７９２８号公報には、（ａ）炭素数８以上、２４以下の内部オレフィンスルホン酸塩、（ｂ）炭素数８以上、２２以下の脂肪酸又はその塩、（ｃ）（ｃ１）特定のアルカノールアミド、（ｃ２）特定の脂肪酸アミドプロピルベタイン及び（ｃ３）特定のポリオキシエチレンアルキル又はアルケニルアミンから選ばれる１種以上の化合物を、それぞれ、所定条件で含有し、（ｃ）／（ａ）の質量比が０．０１以上、１以下である、手洗い用食器洗浄剤組成物が記載されている。
特開２０１６−１４７９２７号公報には、（ａ）炭素数８以上、２４以下の内部オレフィンスルホン酸塩、（ｂ）炭素数８以上、２２以下の脂肪酸又はその塩、（ｃ）炭素数８以上、２２以下の炭化水素基を有するアミンオキシド、及び（ｄ）炭素数８以上、２２以下のアルキル基を有するアルキルコハク酸、炭素数８以上、２２以下のアルケニル基を有するアルケニルコハク酸、これらの塩及びこれらの無水物から選ばれる化合物を、それぞれ、所定条件で含有し、（ｄ）／（ａ）の質量比が０．０１以上、１以下である、手洗い用食器洗浄剤組成物が記載されている。【０００４】
発明の概要
内部オレフィンスルホン酸塩を用いて食器等の硬質物品を洗浄するにあたり、更なる洗浄力の向上と優れたすすぎ性が求められている。
本発明は、内部オレフィンスルホン酸塩を用いた硬質物品の洗浄方法であって、洗浄力とすすぎ性に優れた洗浄方法を提供する。【０００５】
本発明は、（ａ）内部オレフィンスルホン酸のカリウム塩と（ｂ）硬度が５°ＤＨ以上の水とを混合して得た洗浄液を硬質物品と接触させる接触工程と、接触工程後の硬質物品を硬度が５°ＤＨ以上の水ですすぐ工程とを有する硬質物品の洗浄方法であって、
前記接触工程の少なくとも一部で、３０℃以上の前記洗浄液を硬質物品と接触させる、
硬質物品の洗浄方法に関する。【０００６】
また、本発明は、（ａ）内部オレフィンスルホン酸のカリウム塩と（ｂ）硬度が５°ＤＨ以上の水とを配合してなる、硬質物品用洗浄剤組成物に関する。【０００７】
本発明は、（ａ）内部オレフィンスルホン酸のカリウム塩と（ｂ）硬度が５°ＤＨ以上の水とを混合して得た洗浄液を食器と接触させる接触工程と、接触工程後の食器を硬度が５°ＤＨ以上の水ですすぐ工程とを有する食器の洗浄方法であって、
前記接触工程の少なくとも一部で、４０℃以上の前記洗浄液を食器と接触させる、
食器の洗浄方法を含む。【０００８】
また、本発明は、（ａ）内部オレフィンスルホン酸のカリウム塩と（ｂ）硬度が５°ＤＨ以上の水とを配合してなる、食器用洗浄剤組成物を含む。【０００９】
以下、（ａ）内部オレフィンスルホン酸のカリウム塩を（ａ）成分、（ｂ）硬度が５°ＤＨ以上の水を（ｂ）成分として説明する。【００１０】
本発明によれば、内部オレフィンスルホン酸塩を用いた食器等の硬質物品の洗浄方法であって、洗浄力とすすぎ性に優れた洗浄方法が提供される。すすぎ性は、通常、すすぎ時の泡消えの程度により判断される。【００１１】
発明を実施するための形態
＜硬質物品の洗浄方法＞
本発明は、内部オレフィンスルホン酸塩を用いて食器等の硬質物品を洗浄するにあたり、内部オレフィンスルホン酸の対イオンをカリウムイオンとし、洗浄に用いる水の硬度と温度を詳細に規定することで、洗浄力とすすぎ性が格段に向上することを見出したものである。【００１２】
本発明の（ａ）成分である内部オレフィンスルホン酸のカリウム塩（以下、ＩＯＳ−Ｋという場合もある）とは、原料である内部オレフィンをスルホン化、中和、及び加水分解すること等によって得られる化合物である。なお、かかる内部オレフィンとは、二重結合の位置が炭素鎖の１位に存在する、いわゆるα−オレフィンを微量含有する場合も含む広義の意味である。内部オレフィンをスルホン化すると、定量的にβ−サルトンが生成し、β−サルトンの一部は、γ−サルトン、オレフィンスルホン酸へと変化し、更にこれらは中和・加水分解工程においてヒドロキシアルカンスルホン酸塩と、オレフィンスルホン酸塩へと転換する（例えば、J. Am. Oil Chem. Soc. 69, 39(1992))。ここで、得られるヒドロキシアルカンスルホン酸塩のヒドロキシ基は、アルカン鎖の内部にあり、オレフィンスルホン酸塩の二重結合はオレフィン鎖の内部にある。また、得られる生成物は、主にこれらの混合物であり、またその一部には、微量の、炭素鎖の末端にヒドロキシ基を有するヒドロキシアルカンスルホン酸塩、又は炭素鎖の末端に二重結合を有するオレフィンスルホン酸塩が含まれる場合もある。また、微量の、スルホン酸基が炭素鎖の１位に存在するオレフィンスルホン酸塩が含まれる場合もある。本明細書では、これらの各生成物及びそれらの混合物を総称して内部オレフィンスルホン酸塩という。また、ヒドロキシアルカンスルホン酸塩を内部オレフィンスルホン酸塩のヒドロキシ体、オレフィンスルホン酸塩を内部オレフィンスルホン酸塩のオレフィン体という。これら内部オレフィンスルホン酸塩のうち、カリウム塩が本発明の（ａ）成分である。【００１３】
本発明では、（ａ）成分中のスルホン酸基が２位に存在するＩＯＳ−Ｋの割合は、洗浄力の観点から、好ましくは５質量％以上、より好ましくは６質量％以上、そして、好ましくは２０質量％以下、より好ましくは１８質量％以下である。なお、（ａ）成分におけるスルホン酸基が２位に存在するＩＯＳ−Ｋの含有量は、ガスクロマトグラフィー、核磁気共鳴スペクトル等の方法により測定できる。【００１４】
本発明では、（ａ）成分中、スルホン酸基が炭素鎖の１位に存在するＩＯＳ−Ｋの量が少ない方が好ましい。本発明では、スルホン酸基が炭素鎖の１位に存在するＩＯＳ−Ｋ（以下、（ａ’）成分という）の含有量が、（ａ）成分中、２０質量％以下であることが好ましい。本発明では、洗浄力とすすぎ性の観点から、（ａ’）成分の含有量は、（ａ）成分中、好ましくは２０質量％以下であり、より好ましくは１０質量％以下、更に好ましくは５質量％以下、より更に好ましくは３質量％以下である。また、（ａ’）成分の含有量は、（ａ）成分中、０質量％以上とすることができ、０質量％であってもよい。【００１５】
（ａ’）成分も、炭素数８以上２４以下のＩＯＳ−Ｋであってよい。（ａ）成分、（ａ’）成分の炭化水素基は、アルキル基、アルケニル基が挙げられ、ヒドロキシ基を含有しても良い。【００１６】
なお、本発明で含有量を制限するのが望ましい（ａ’）成分の、スルホン酸基が炭素鎖の１位に存在するＩＯＳ−Ｋは、以下の式で概略的に表される化合物である。他の（ａ）成分の化合物は、以下の式では、スルホン酸基が炭素鎖の１位以外の炭素原子に結合した化合物として表現できる。なお、以下の式では「−ＳＯ３Ｋ」がカリウム塩となっているスルホン酸基である。【００１７】
【化１】
0006482050.tif 000002
【００１８】
（ａ）成分は、洗浄力とすすぎ性の観点から、好ましくは炭素数８以上２４以下であり、炭素数１２以上がより好ましく、炭素数１６以上がより好ましく、そして、炭素数２２以下が好ましく、炭素数２０以下がより好ましく、炭素数１８以下がより好ましい。【００１９】
（ａ）成分は、炭素数１６以上１８以下のＩＯＳ−Ｋが好ましい。（ａ）成分は、炭素数１８のＩＯＳ−Ｋがより好ましい。すなわち、本発明に用いられる洗浄液は、（ａ）成分として、炭素数１６以上１８以下のＩＯＳ−Ｋを含有することが好ましい。本発明に用いられる洗浄液は、（ａ）成分として、炭素数１８のＩＯＳ−Ｋを含有することがより好ましい。【００２０】
（ａ）成分における炭素数１６の内部オレフィンスルホン酸のカリウム塩（以下Ｃ１６ＩＯＳ−Ｋという）と炭素数１８の内部オレフィンスルホン酸のカリウム塩（以下Ｃ１８ＩＯＳ−Ｋという）の質量比は、Ｃ１６ＩＯＳ−Ｋ／Ｃ１８ＩＯＳ−Ｋで、好ましくは０．１以下、より好ましくは０．０５以下、更に好ましくは０．０１以下、そして、好ましくは０以上であり、０であってもよい。【００２１】
本発明では、（ａ）成分中のＣ１６ＩＯＳ−ＫとＣ１８ＩＯＳ−Ｋの合計の割合は、洗浄性及びすすぎ性の観点から、好ましくは５０質量％以上、より好ましくは７０質量％以上、更に好ましくは８０質量％以上、より更に好ましくは９０質量％以上、より更に好ましくは９５質量％以上、より更に好ましくは９７質量％以上であり、そして、好ましくは１００質量％以下であり、１００質量％であってもよい。【００２２】
本発明に用いられる洗浄液は、（ａ）成分を、好ましくは０．００１質量％以上、より好ましくは０．０１質量％以上、さらに好ましくは０．１質量％以上、そして、好ましくは３０質量％以下、より好ましくは２０質量％以下、さらに好ましくは１０質量％以下、含有する。【００２３】
本発明では、洗浄力及びすすぎ性の観点から、（ａ）成分と、（ｂ）成分である硬度が５°ＤＨ以上の水とを混合して得た洗浄液を用いる。（ｂ）成分の硬度は、５°ＤＨ以上、更に１０°ＤＨ以上、更に１５°ＤＨ以上から選択できる。また、（ｂ）成分の硬度は、３０°ＤＨ以下、更に２７°ＤＨ以下、更に２５°ＤＨ以下から選択できる。【００２４】
水の硬度（°ＤＨ）は、ＪＩＳ  Ｋ  ０１０１：１９９８「工業用水試験方法」１５章１５．１「全硬度」に記載の１５．１．１「キレート滴定法」で測定したＣａＣＯ３換算濃度（ｍｇ／Ｌ）を、次の式で換算して求める。
水の硬度（°ＤＨ）＝ＣａＣＯ３換算濃度（ｍｇ／Ｌ）×０．０５６０３【００２５】
本発明で用いる洗浄液は、（ａ）成分１質量部に対して、（ｂ）成分を、好ましくは５０質量部以上、より好ましくは１００質量部以上、そして、好ましくは１０，０００質量部以下、より好ましくは５，０００質量部以下、混合する。
また、本発明で用いる洗浄液の調製に用いる水の全量中、（ｂ）成分の割合は、好ましくは８０質量％以上、より好ましくは９０質量％以上、更に好ましくは９５質量％以上、より好ましくは９７質量％以上であり、そして、１００質量％以下、更に１００質量％未満とすることができる。【００２６】
本発明で用いる洗浄液は、本発明の効果を阻害しない範囲で、前記（ａ）成分以外の界面活性剤を含有することができる。前記（ａ）成分以外の界面活性剤としては、通常、医薬品、医薬部外品、化粧料、トイレタリー、雑貨等で用いられる界面活性剤であればいずれも用いることができ、具体的には、前記（ａ）成分以外のアニオン性界面活性剤、ノニオン性界面活性剤、両性界面活性剤、カチオン性界面活性剤が挙げられる。【００２７】
本発明で用いる洗浄液は、油汚れに対する乳化力を高め、洗浄力を増強する目的から、含マグネシウム無機化合物及びアルキレンジアミン化合物（アルキレン基は炭素数２〜６）から選ばれる化合物、好ましくは含マグネシウム無機化合物を含有することが好ましい。これらの化合物は、本発明に必要な効果、すなわち（ａ）成分、及び所望により含有される他の陰イオン界面活性剤の少なくとも２分子と比較的弱く相互作用しコンプレックスを形成させ、乳化力などの界面活性能を向上させる化合物として共通の効果／作用機構を有するものである。【００２８】
含マグネシウム無機化合物としては、塩化マグネシウム等のマグネシウム塩化物、硫酸マグネシウム、硝酸マグネシウム等のマグネシウム塩、水酸化マグネシウム、酸化マグネシウム等が挙げられるが、塩化マグネシウム及び硫酸マグネシウムから選ばれる化合物がより好ましく、塩化マグネシウムが更により好ましい。また、アルキレンジアミン化合物としては、エチレンジアミン、プロピレンジアミン、へキシレンジアミン、シクロヘキサンジアミンが好適であるが、シクロヘキサンジアミンがより好ましい。【００２９】
本発明で用いる洗浄液が前記含マグネシウム無機化合物及び前記アルキレンジアミン化合物から選ばれる化合物を含有する場合、その含有量は、洗浄液中、好ましくは０．００００１質量％以上、より好ましくは０．０００１質量％以上、そして、好ましくは１０質量％以下、より好ましくは５質量％以下である。なお、これらの化合物は結晶水を含む場合があるが、ここで示す含有量は、結晶水を除いた質量である。【００３０】
本発明で用いる洗浄液は、含マグネシウム無機化合物及びアルキレンジアミン化合物（アルキレン基は炭素数２〜６）から選ばれる化合物の補助として含マグネシウム無機化合物以外の無機化合物を併用してもよい。無機化合物としては、塩化ナトリウム、塩化カリウム、ヨウ化ナトリウム、ヨウ化カリウム、硫酸ナトリウム、硫酸カリウム、ミョウバン等が挙げられる。【００３１】
本発明においては洗浄時及びすすぎ時の泡の挙動が非常に重要である。食器等の硬質物品用洗浄剤組成物の一般的な研究においては、洗浄時の起泡性／泡持続性を考慮して増泡効果のある界面活性剤を併用することが行われているが、本発明においてはこのような増泡効果のある界面活性剤はすすぎ時の泡消え性に大きな影響を及ぼすため、使用する場合注意が必要である。本発明では特に、カルボベタイン型界面活性剤及びアルカノールアミド型界面活性剤から選ばれる界面活性剤の取り扱いに注意を要する。本発明で用いる洗浄液中、カルボベタイン型界面活性剤及びアルカノールアミド型界面活性剤から選ばれる界面活性剤の含有量は、好ましくは１０質量％以下、より好ましくは５質量％以下、更に好ましくは１質量％以下、より更に好ましくは０．１質量％以下、より更に好ましくは０．０１質量％以下、より更に好ましくは０質量％、すなわち前記界面活性剤を含有しないことである。【００３２】
本発明で用いる洗浄液は、前記成分以外に、減粘剤、多価アルコール類、有機溶剤、防腐剤、還元剤、酵素、香料など、通常の硬質物品用洗剤原料として用いられる他の成分を含有することができる。【００３３】
本発明に用いる洗浄液は、（ａ）成分及び（ｂ）成分、更に必要に応じて任意成分を混合することで製造できる。（ａ）成分及び水を含有する濃厚組成物を（ｂ）成分で希釈して、かかる洗浄液を調製してもよい。濃厚組成物が含有する前記水は、硬度５°ＤＨ未満であってもよい。また、濃厚組成物は、任意成分を含有していてもよい。なお、濃厚組成物が含有する水の量は、（ｂ）成分を用いることによりもたらされる効果に影響しない範囲であることが好ましい。一例として、（ａ）成分を１０質量％以上５０質量％以下及び硬度が５°ＤＨ未満の水を含有する濃厚組成物を調製し、該濃厚組成物１質量部に対して（ｂ）成分を５００質量部以上５０００質量部以下混合して本発明に用いる洗浄液を調製することができる。本発明の洗浄方法は、接触工程の前に、このような洗浄液の調製工程を含んでいてもよい。【００３４】
本発明の硬質物品の洗浄方法は、（ａ）内部オレフィンスルホン酸のカリウム塩と（ｂ）硬度が５°ＤＨ以上の水とを混合して得た洗浄液を硬質物品と接触させる接触工程を有する。
そして、本発明の硬質物品の洗浄方法では、前記接触工程の少なくとも一部で、３０℃以上の前記洗浄液を硬質物品と接触（以下、高温接触という場合もある）させる。高温接触における洗浄液の温度は、好ましくは４０℃以上、より好ましくは４５℃以上、更に好ましくは５０℃以上、そして、好ましくは９０℃以下、より好ましくは８０℃以下である。高温接触における洗浄液の温度は、３０℃以上であれば、一定でも変動してもよい。本発明では、接触工程の少なくとも一部で高温接触を行うことで、優れた洗浄力及びすすぎ性が得られる。【００３５】
本発明の接触工程では、洗浄力及びすすぎ性の観点から、洗浄液を、好ましくは１０秒以上、より好ましくは１分以上、そして、好ましくは２４時間以下、より好ましくは１２時間以下、硬質物品と接触させる。【００３６】
高温接触では、洗浄力及びすすぎ性の観点から、３０℃以上の洗浄液を、好ましくは１０秒以上、より好ましくは１分以上、そして、好ましくは２４時間以下、より好ましくは１２時間以下、硬質物品と接触させる。【００３７】
本発明では、接触工程の全期間中、高温接触を行う期間の割合が、好ましくは１％以上、より好ましくは１０％以上、更に好ましくは５０％以上である。接触工程の全部で高温接触を行ってもよい。【００３８】
接触工程では、高温接触も含め、洗浄液の温度は変動してもよい。接触工程における洗浄液の温度の変動は、連続的、間欠的など様々であってよい。また、接触工程における洗浄液の温度の変動は、温度の上昇、温度の下降、これらの組み合わせ、のいずれでもよい。本発明では、３０℃以上の洗浄液を硬質物品と接触させて接触工程を開始することが好ましい。すなわち、硬質物品と最初に接触させる洗浄液の温度が３０℃以上であることが好ましい。【００３９】
本発明では、洗浄液に硬質物品を浸漬させて接触工程を行うことが好ましい。高温接触でも、３０℃以上の洗浄液に硬質物品を浸漬させることが好ましい。【００４０】
本発明に用いられる洗浄液は、粘度が、好ましくは１ｍＰａ・ｓ以上、より好ましくは５ｍＰａ・ｓ以上、そして、好ましくは１００，０００ｍＰａ・ｓ以下、より好ましくは１０，０００ｍＰａ・ｓ以下である。【００４１】
本発明に用いられる洗浄液は、硬質物品と洗浄させる温度において、ｐＨが、好ましくは４以上、より好ましくは５以上、そして、好ましくは１３以下、より好ましくは１１以下である。【００４２】
本発明の硬質物品の洗浄方法では、接触工程後の硬質物品を、本発明に係る洗浄液又は他の洗浄液（これらを合わせて、以下、手洗い洗浄用の洗浄液という）で、更に手洗い洗浄することができる。具体的な手洗い洗浄方法としては、手洗い洗浄用の洗浄液を付着させた可撓性材料で硬質物品を手洗い洗浄した後、水を用いてすすぎを行う方法が挙げられる。例えば、水を含んだスポンジなどの可撓性材料に手洗い洗浄用の洗浄液を保持させて、手で数回揉みながら泡立てて、硬質物品をこすり洗いする。【００４３】
また、本発明の硬質物品の洗浄方法は、接触工程後の硬質物品を硬度が５°ＤＨ以上の水ですすぐ工程（以下、すすぎ工程という場合もある）を有する。
すすぎ工程で用いる水の硬度は、５°ＤＨ以上、更に１０°ＤＨ以上、更に１５°ＤＨ以上から選択できる。また、すすぎ工程で用いる水の硬度は、３０°ＤＨ以下、更に２７°ＤＨ以下、更に２５°ＤＨ以下から選択できる。
また、すすぎ工程で用いる水の温度は、好ましくは３０℃以上、より好ましくは４０℃以上、更に好ましくは５０℃以上、そして、好ましくは９０℃以下、より好ましくは８０℃以下である。
すすぎは、前記硬度、好ましくは前記温度の水を、接触工程後の硬質物品と接触させて行う。すすぎは、例えば、溜めすすぎ、流水すすぎ、これらの組み合わせ、により行うことができる。【００４４】
本発明の洗浄方法は硬質物品を対象とする。硬質物品を構成する材料は、プラスチック、金属、セラミックス、漆、木、及びガラスから選ばれる材料、並びにこれらの組み合わせが挙げられる。硬質物品は、本発明の効果を顕著に発現させる観点から、材料として、プラスチック、及びガラスから選ばれる材料を含むものが好適である。硬質物品は、硬水でのさらなる洗浄力向上の観点から、材料としてプラスチックを含むものがより好適である。プラスチックは、ポリプロピレン、ポリエチレンなどのポリオレフィン、ポリメタクリレート、ポリカーボネート、ＡＢＳ、ポリエチレンテレフタラート及びポリブチレンテレフタラートなどのポリエステル、メラミン樹脂、フェノール樹脂、ポリアミドなどが挙げられる。プラスチックは、ポリオレフィン、なかでも本発明の効果をより顕著に発現させる観点から、ポリプロピレンを含むことができる。プラスチックは、ＦＲＰのような、他の材料との複合形態であってもよい。硬質物品は、高温での更なる洗浄力向上の観点から、好ましくはガラスである。硬質物品としては、食器、調理器具、保存容器、浴槽、便器、車両、床、壁、窓ガラス、窓枠、家具、家庭用電気製品などが挙げられる。本発明の洗浄方法は、好ましくは食器を対象とする。すなわち食器の洗浄方法は、本発明の好ましい態様である。食器は、プラスチック、金属、セラミックス、漆、木、ガラス、及びこれらの組み合わせから選ばれる材料を含む食器が挙げられる。【００４５】
＜硬質物品用洗浄剤組成物＞
本発明の硬質物品用洗浄剤組成物は、（ａ）成分である内部オレフィンスルホン酸のカリウム塩と（ｂ）成分である硬度が５°ＤＨ以上の水とを配合してなる。（ａ）成分、（ｂ）成分の好ましい態様は、それぞれ、本発明の硬質物品の洗浄方法と同じである。また、硬質物品も、本発明の硬質物品の洗浄方法で述べたものが挙げられる。本発明の硬質物品用洗浄剤組成物は、本発明の硬質物品の洗浄方法に好適に用いられる。食器用洗浄剤組成物は、本発明の好ましい態様である。【００４６】
本発明の硬質物品用洗浄剤組成物は、（ａ）成分を、配合原料中、好ましくは０．００１質量％以上、より好ましくは０．０１質量％以上、更に好ましくは０．１質量％以上、そして、好ましくは３０質量％以下、より好ましくは２０質量％以下、更に好ましくは１０質量％以下配合してなる。本発明の硬質物品用洗浄剤組成物は、（ａ）成分を高濃度で配合する組成でも安定性に優れる。また、本発明の硬質物品用洗浄剤組成物は、（ａ）成分の配合量により、そのまま、洗浄液、好ましくは本発明の洗浄方法に用いる洗浄液として使用することができる。【００４７】
本発明の硬質物品用洗浄剤組成物は、粘度が、好ましくは１ｍＰａ・ｓ以上、より好ましくは５ｍＰａ・ｓ以上、そして、好ましくは１００，０００ｍＰａ・ｓ以下、より好ましくは１０，０００ｍＰａ・ｓ以下である。【００４８】
本発明の硬質物品用洗浄剤組成物は、２０℃でのｐＨが、好ましくは４以上、より好ましくは５以上、そして、好ましくは１３以下、より好ましくは１１以下である。【００４９】
本発明の硬質物品用洗浄剤組成物は、本発明の効果を阻害しない範囲で、本発明で用いる洗浄液で述べた任意の成分を含有することができる。含マグネシウム無機化合物及び前記アルキレンジアミン化合物から選ばれる化合物の配合量は、配合原料中、好ましくは０．００００１質量％以上、より好ましくは０．０００１質量％以上、そして、好ましくは１０質量％以下、より好ましくは５質量％以下である。また、カルボベタイン型界面活性剤及びアルカノールアミド型界面活性剤から選ばれる界面活性剤の配合量は、配合原料中、好ましくは１０質量％以下、より好ましくは５質量％以下、更に好ましくは１質量％以下、より更に好ましくは０．１質量％以下であり、より更に好ましくは０．０１質量％以下、より更に好ましくは０質量％、すなわち前記界面活性剤を配合しないことである。【００５０】
本発明は、（ａ）内部オレフィンスルホン酸のカリウム塩と（ｂ）硬度が５°ＤＨ以上の水とを配合してなる組成物の、硬質物品用洗浄剤としての使用に関する。この使用には、本発明の硬質物品の洗浄方法及び硬質物品用洗浄剤組成物で述べた事項を適宜適用することができる。【００５１】
本発明はさらに以下の硬質物品の洗浄方法、硬質物品用洗浄剤組成物、及び硬質物品用洗浄剤としての使用を開示する。これらの態様には、本発明の硬質物品の洗浄方法、硬質物品用洗浄剤組成物、及び硬質物品用洗浄剤としての使用で述べた事項を、相互に適宜適用することができる。
＜１＞
（ａ）内部オレフィンスルホン酸のカリウム塩〔以下、（ａ）成分という〕と（ｂ）硬度が５°ＤＨ以上の水〔以下、（ｂ）成分という〕とを混合して得た洗浄液を硬質物品と接触させる接触工程と、接触工程後の硬質物品を硬度が５°ＤＨ以上の水ですすぐ工程とを有する硬質物品の洗浄方法であって、
前記接触工程の少なくとも一部で、３０℃以上の前記洗浄液を硬質物品と接触させる、
硬質物品の洗浄方法。【００５２】
＜２＞
硬質物品が、食器、調理器具、保存容器、浴槽、便器、車両、床、壁、窓ガラス、窓枠、家具、及び家庭用電気製品から選ばれる１種以上の硬質物品である、＜１＞に記載の硬質物品の洗浄方法。
＜３＞
硬質物品が食器である、＜１＞又は＜２＞に記載の硬質物品の洗浄方法。
＜４＞
食器の材料が、プラスチック、金属、セラミックス、漆、木、及びガラスから選ばれる材料、並びにこれらの組み合わせである、＜３＞に記載の硬質物品の洗浄方法。
＜５＞
食器の材料が、プラスチック、及びガラスから選ばれる材料を含む、＜３＞又は＜４＞に記載の硬質物品の洗浄方法。【００５３】
＜６＞
前記接触工程の少なくとも一部で、４０℃以上の前記洗浄液を硬質物品と接触させる、＜１＞〜＜５＞の何れかに記載の硬質物品の洗浄方法。
＜７＞
前記接触工程の少なくとも一部で、４５℃以上の前記洗浄液を硬質物品と接触させる、＜１＞〜＜５＞の何れかに記載の硬質物品の洗浄方法。
＜８＞
前記接触工程の少なくとも一部で、５０℃以上の前記洗浄液を硬質物品と接触させる、＜１＞〜＜５＞の何れかに記載の硬質物品の洗浄方法。
＜９＞
前記接触工程の少なくとも一部で、９０℃以下の前記洗浄液を硬質物品と接触させる、＜１＞〜＜８＞の何れかに記載の硬質物品の洗浄方法。
＜１０＞
前記接触工程の少なくとも一部で、８０℃以下の前記洗浄液を硬質物品と接触させる、＜１＞〜＜８＞の何れかに記載の硬質物品の洗浄方法。【００５４】
＜１１＞
（ａ）成分中のスルホン酸基が２位に存在する内部オレフィンスルホン酸のカリウム塩（以下、内部オレフィンスルホン酸のカリウム塩をＩＯＳ−Ｋという）の割合が、５質量％以上２０質量％以下である、＜１＞〜＜１０＞の何れかに記載の硬質物品の洗浄方法。
＜１２＞
（ａ）成分中のスルホン酸基が２位に存在するＩＯＳ−Ｋの割合が、６質量％以上である、＜１＞〜＜１１＞の何れかに記載の硬質物品の洗浄方法。
＜１３＞
（ａ）成分中のスルホン酸基が２位に存在するＩＯＳ−Ｋの割合が、１８質量％以下である、＜１＞〜＜１２＞の何れかに記載の硬質物品の洗浄方法。
＜１４＞
スルホン酸基が炭素鎖の１位に存在するＩＯＳ−Ｋ（以下、（ａ’）成分という）の含有量が、（ａ）成分中、２０質量％以下である、＜１＞〜＜１３＞の何れかに記載の硬質物品の洗浄方法。
＜１５＞
（ａ’）成分の含有量が、（ａ）成分中、１０質量％以下である、＜１＞〜＜１３＞の何れかに記載の硬質物品の洗浄方法。
＜１６＞
（ａ’）成分の含有量が、（ａ）成分中、５質量％以下である、＜１＞〜＜１３＞の何れかに記載の硬質物品の洗浄方法。
＜１７＞
（ａ’）成分の含有量が、（ａ）成分中、３質量％以下である、＜１＞〜＜１３＞の何れかに記載の硬質物品の洗浄方法。
＜１８＞
（ａ’）成分の含有量が、（ａ）成分中、０質量％以上である、＜１＞〜＜１７＞の何れかに記載の硬質物品の洗浄方法。
＜１９＞
（ａ’）成分の含有量が、（ａ）成分中、０質量％である、＜１＞〜＜１７＞の何れかに記載の硬質物品の洗浄方法。【００５５】
＜２０＞
前記洗浄液が、（ａ）として、炭素数１６以上１８以下のＩＯＳ−Ｋを含有する、＜１＞〜＜１９＞の何れかに記載の硬質物品の洗浄方法。
＜２１＞
前記洗浄液が、（ａ）として、炭素数１８のＩＯＳ−Ｋを含有する、＜１＞〜＜２０＞の何れかに記載の硬質物品の洗浄方法。
＜２２＞
（ａ）成分における炭素数１６の内部オレフィンスルホン酸のカリウム塩（以下Ｃ１６ＩＯＳ−Ｋという）と炭素数１８の内部オレフィンスルホン酸のカリウム塩（以下Ｃ１８ＩＯＳ−Ｋという）の質量比が、Ｃ１６ＩＯＳ−Ｋ／Ｃ１８ＩＯＳ−Ｋで、０．１以下である、＜１＞〜＜２１＞の何れかに記載の硬質物品の洗浄方法。
＜２３＞
（ａ）成分におけるＣ１６ＩＯＳ−ＫとＣ１８ＩＯＳ−Ｋの質量比が、Ｃ１６ＩＯＳ−Ｋ／Ｃ１８ＩＯＳ−Ｋで、０．０５以下である、＜１＞〜＜２１＞の何れかに記載の硬質物品の洗浄方法。
＜２４＞
（ａ）成分におけるＣ１６ＩＯＳ−ＫとＣ１８ＩＯＳ−Ｋの質量比が、Ｃ１６ＩＯＳ−Ｋ／Ｃ１８ＩＯＳ−Ｋで、０．０１以下である、＜１＞〜＜２１＞の何れかに記載の硬質物品の洗浄方法。
＜２５＞
（ａ）成分におけるＣ１６ＩＯＳ−ＫとＣ１８ＩＯＳ−Ｋの質量比が、Ｃ１６ＩＯＳ−Ｋ／Ｃ１８ＩＯＳ−Ｋで、０以上である、＜１＞〜＜２４＞の何れかに記載の硬質物品の洗浄方法。
＜２６＞
（ａ）成分におけるＣ１６ＩＯＳ−ＫとＣ１８ＩＯＳ−Ｋの質量比が、Ｃ１６ＩＯＳ−Ｋ／Ｃ１８ＩＯＳ−Ｋで、０である、＜１＞〜＜２４＞の何れかに記載の硬質物品の洗浄方法。
＜２７＞
（ａ）成分中のＣ１６ＩＯＳ−ＫとＣ１８ＩＯＳ−Ｋの合計の割合が、５０質量％以上である、＜１＞〜＜２６＞の何れかに記載の硬質物品の洗浄方法。
＜２８＞
（ａ）成分中のＣ１６ＩＯＳ−ＫとＣ１８ＩＯＳ−Ｋの合計の割合が、７０質量％以上である、＜１＞〜＜２６＞の何れかに記載の硬質物品の洗浄方法。
＜２９＞
（ａ）成分中のＣ１６ＩＯＳ−ＫとＣ１８ＩＯＳ−Ｋの合計の割合が、８０質量％以上である、＜１＞〜＜２６＞の何れかに記載の硬質物品の洗浄方法。
＜３０＞
（ａ）成分中のＣ１６ＩＯＳ−ＫとＣ１８ＩＯＳ−Ｋの合計の割合が、９０質量％以上である、＜１＞〜＜２６＞の何れかに記載の硬質物品の洗浄方法。
＜３１＞
（ａ）成分中のＣ１６ＩＯＳ−ＫとＣ１８ＩＯＳ−Ｋの合計の割合が、９５質量％以上である、＜１＞〜＜２６＞の何れかに記載の硬質物品の洗浄方法。
＜３２＞
（ａ）成分中のＣ１６ＩＯＳ−ＫとＣ１８ＩＯＳ−Ｋの合計の割合が、９７質量％以上である、＜１＞〜＜２６＞の何れかに記載の硬質物品の洗浄方法。
＜３３＞
（ａ）成分中のＣ１６ＩＯＳ−ＫとＣ１８ＩＯＳ−Ｋの合計の割合が、１００質量％以下である、＜１＞〜＜３２＞の何れかに記載の硬質物品の洗浄方法。
＜３４＞
（ａ）成分中のＣ１６ＩＯＳ−ＫとＣ１８ＩＯＳ−Ｋの合計の割合が、１００質量％である、＜１＞〜＜３２＞の何れかに記載の硬質物品の洗浄方法。【００５６】
＜３５＞
前記洗浄液が、（ａ）成分を０．００１質量％以上３０質量％以下含有する、＜１＞〜＜３４＞の何れかに記載の硬質物品の洗浄方法。
＜３６＞
前記洗浄液が、（ａ）成分を０．０１質量％以上含有する、＜１＞〜＜３５＞の何れかに記載の硬質物品の洗浄方法。
＜３７＞
前記洗浄液が、（ａ）成分を０．１質量％以上含有する、＜１＞〜＜３５＞の何れかに記載の硬質物品の洗浄方法。
＜３８＞
前記洗浄液が、（ａ）成分を２０質量％以下含有する、＜１＞〜＜３７＞の何れかに記載の硬質物品の洗浄方法。
＜３９＞
前記洗浄液が、（ａ）成分を１０質量％以下含有する、＜１＞〜＜３７＞の何れかに記載の硬質物品の洗浄方法。【００５７】
＜４０＞
（ｂ）成分の硬度が、５°ＤＨ以上である、＜１＞〜＜３９＞の何れかに記載の硬質物品の洗浄方法。
＜４１＞
（ｂ）成分の硬度が、１０°ＤＨ以上である、＜１＞〜＜３９＞の何れかに記載の硬質物品の洗浄方法。
＜４２＞
（ｂ）成分の硬度が、１５°ＤＨ以上である、＜１＞〜＜３９＞の何れかに記載の硬質物品の洗浄方法。
＜４３＞
（ｂ）成分の硬度が、３０°ＤＨ以下である、＜１＞〜＜４２＞の何れかに記載の硬質物品の洗浄方法。
＜４４＞
（ｂ）成分の硬度が、２７°ＤＨ以下である、＜１＞〜＜４２＞の何れかに記載の硬質物品の洗浄方法。
＜４５＞
（ｂ）成分の硬度が、２５°ＤＨ以下である、＜１＞〜＜４２＞の何れかに記載の硬質物品の洗浄方法。【００５８】
＜４６＞
前記洗浄液中、含マグネシウム無機化合物及びアルキレンジアミン化合物（アルキレン基は炭素数２〜６）から選ばれる化合物の含有量が、０．００００１質量％以上である、＜１＞〜＜４５＞の何れかに記載の硬質物品の洗浄方法。
＜４７＞
前記洗浄液中、含マグネシウム無機化合物及びアルキレンジアミン化合物（アルキレン基は炭素数２〜６）から選ばれる化合物の含有量が、０．０００１質量％以上である、＜１＞〜＜４５＞の何れかに記載の硬質物品の洗浄方法。
＜４８＞
前記洗浄液中、含マグネシウム無機化合物及びアルキレンジアミン化合物（アルキレン基は炭素数２〜６）から選ばれる化合物の含有量が、１０質量％以下である、＜１＞〜＜４７＞の何れかに記載の硬質物品の洗浄方法。
＜４９＞
前記洗浄液中、含マグネシウム無機化合物及びアルキレンジアミン化合物（アルキレン基は炭素数２〜６）から選ばれる化合物の含有量が、５質量％以下である、＜１＞〜＜４７＞の何れかに記載の硬質物品の洗浄方法。
＜５０＞
前記洗浄液中、カルボベタイン型界面活性剤及びアルカノールアミド型界面活性剤から選ばれる界面活性剤の含有量が、１０質量％以下である、＜１＞〜＜４９＞の何れかに記載の硬質物品の洗浄方法。
＜５１＞
前記洗浄液中、カルボベタイン型界面活性剤及びアルカノールアミド型界面活性剤から選ばれる界面活性剤の含有量が、５質量％以下である、＜１＞〜＜４９＞の何れかに記載の硬質物品の洗浄方法。
＜５２＞
前記洗浄液中、カルボベタイン型界面活性剤及びアルカノールアミド型界面活性剤から選ばれる界面活性剤の含有量が、１質量％以下である、＜１＞〜＜４９＞の何れかに記載の硬質物品の洗浄方法。
＜５３＞
前記洗浄液中、カルボベタイン型界面活性剤及びアルカノールアミド型界面活性剤から選ばれる界面活性剤の含有量が、０．１質量％以下である、＜１＞〜＜４９＞の何れかに記載の硬質物品の洗浄方法。
＜５４＞
前記洗浄液中、カルボベタイン型界面活性剤及びアルカノールアミド型界面活性剤から選ばれる界面活性剤の含有量が、０．０１質量％以下である、＜１＞〜＜４９＞の何れかに記載の硬質物品の洗浄方法。
＜５５＞
前記洗浄液中、カルボベタイン型界面活性剤及びアルカノールアミド型界面活性剤から選ばれる界面活性剤の含有量が、０質量％である、＜１＞〜＜４９＞の何れかに記載の硬質物品の洗浄方法。【００５９】
＜５６＞
前記接触工程で、３０℃以上の前記洗浄液に硬質物品を浸漬させる、＜１＞〜＜５５＞の何れかに記載の硬質物品の洗浄方法。【００６０】
＜５７＞
すすぎ工程で用いる水の硬度が、５°ＤＨ以上である、＜１＞〜＜５６＞の何れかに記載の硬質物品の洗浄方法。
＜５８＞
すすぎ工程で用いる水の硬度が、１０°ＤＨ以上である、＜１＞〜＜５６＞の何れかに記載の硬質物品の洗浄方法。
＜５９＞
すすぎ工程で用いる水の硬度が、１５°ＤＨ以上である、＜１＞〜＜５６＞の何れかに記載の硬質物品の洗浄方法。
＜６０＞
すすぎ工程で用いる水の硬度が、３０°ＤＨ以下である、＜１＞〜＜５９＞の何れかに記載の硬質物品の洗浄方法。
＜６１＞
すすぎ工程で用いる水の硬度が、２７°ＤＨ以下である、＜１＞〜＜５９＞の何れかに記載の硬質物品の洗浄方法。
＜６２＞
すすぎ工程で用いる水の硬度が、２５°ＤＨ以下である、＜１＞〜＜５９＞の何れかに記載の硬質物品の洗浄方法。
＜６３＞
すすぎ工程で用いる水の温度が、３０℃以上である、＜１＞〜＜６２＞の何れかに記載の硬質物品の洗浄方法。
＜６４＞
すすぎ工程で用いる水の温度が、４０℃以上である、＜１＞〜＜６２＞の何れかに記載の硬質物品の洗浄方法。
＜６５＞
すすぎ工程で用いる水の温度が、５０℃以上である、＜１＞〜＜６２＞の何れかに記載の硬質物品の洗浄方法。
＜６６＞
すすぎ工程で用いる水の温度が、９０℃以下である、＜１＞〜＜６５＞の何れかに記載の硬質物品の洗浄方法。
＜６７＞
すすぎ工程で用いる水の温度が、８０℃以下である、＜１＞〜＜６５＞の何れかに記載の硬質物品の洗浄方法。
＜６８＞
すすぎ工程でのすすぎを、溜めすすぎ、もしくは流水すすぎ、又はこれらの組み合わせ、により行う、＜１＞〜＜６７＞の何れかに記載の硬質物品の洗浄方法。【００６１】
＜６９＞
硬質物品の材料が、プラスチック、金属、セラミックス、漆、木、及びガラスから選ばれる材料、並びにこれらの組み合わせである、＜１＞〜＜６８＞の何れかに記載の硬質物品の洗浄方法。
＜７０＞
硬質物品の材料が、プラスチック、及びガラスから選ばれる材料を含む、＜１＞〜＜６８＞の何れかに記載の硬質物品の洗浄方法。
＜７１＞
硬質物品の材料がプラスチックを含む、＜１＞〜＜６８＞の何れかに記載の硬質物品の洗浄方法。
＜７２＞
プラスチックが、ポリオレフィン、ポリメタクリレート、ポリカーボネート、ＡＢＳ、ポリエステル、メラミン樹脂、フェノール樹脂、及びポリアミドから選ばれるプラスチックである、＜６９＞〜＜７１＞の何れかに記載の硬質物品の洗浄方法。
＜７３＞
プラスチックが、ポリオレフィンを含む、＜６９＞〜＜７１＞の何れかに記載の硬質物品の洗浄方法。
＜７４＞
プラスチックが、ポリプロピレンを含む、＜６９＞〜＜７１＞の何れかに記載の硬質物品の洗浄方法。
＜７５＞
硬質物品の材料がガラスを含む、＜１＞〜＜７４＞の何れかに記載の硬質物品の洗浄方法。【００６２】
＜７６＞
（ａ）ＩＯＳ−Ｋと（ｂ）硬度が５°ＤＨ以上の水とを配合してなる、硬質物品用洗浄剤組成物。
＜７７＞
（ａ）成分を、配合原料中、０．００１質量％以上３０質量％以下配合してなる、＜７６＞に記載の硬質物品用洗浄剤組成物。
＜７８＞
（ａ）成分を、配合原料中、０．０１質量％以上配合してなる、＜７６＞に記載の硬質物品用洗浄剤組成物。
＜７９＞
（ａ）成分を、配合原料中、０．１質量％以上配合してなる、＜７６＞に記載の硬質物品用洗浄剤組成物。
＜８０＞
（ａ）成分を、配合原料中、２０質量％以下配合してなる、＜７６＞〜＜７９＞の何れかに記載の硬質物品用洗浄剤組成物。
＜８１＞
（ａ）成分を、配合原料中、１０質量％以下配合してなる、＜７６＞〜＜７９＞の何れかに記載の硬質物品用洗浄剤組成物。
＜８２＞
＜１＞〜＜７５＞の何れか１項記載の硬質物品の洗浄方法に用いられる、＜７６＞〜＜８１＞の何れかに記載の硬質物品用洗浄剤組成物。
＜８３＞
含マグネシウム無機化合物及びアルキレンジアミン化合物（アルキレン基は炭素数２〜６）から選ばれる化合物の配合量が、配合原料中、０．００００１質量％以上である、＜７６＞〜＜８２＞の何れかに記載の硬質物品用洗浄剤組成物。
＜８４＞
含マグネシウム無機化合物及びアルキレンジアミン化合物（アルキレン基は炭素数２〜６）から選ばれる化合物の配合量が、配合原料中、０．０００１質量％以上である、＜７６＞〜＜８２＞の何れかに記載の硬質物品用洗浄剤組成物。
＜８５＞
含マグネシウム無機化合物及びアルキレンジアミン化合物（アルキレン基は炭素数２〜６）から選ばれる化合物の配合量が、配合原料中、１０質量％以下である、＜７６＞〜＜８４＞の何れかに記載の硬質物品用洗浄剤組成物。
＜８６＞
含マグネシウム無機化合物及びアルキレンジアミン化合物（アルキレン基は炭素数２〜６）から選ばれる化合物の配合量が、配合原料中、５質量％以下である、＜７６＞〜＜８４＞の何れかに記載の硬質物品用洗浄剤組成物。
＜８７＞
カルボベタイン型界面活性剤及びアルカノールアミド型界面活性剤から選ばれる界面活性剤の配合量が、配合原料中、１０質量％以下である、＜７６＞〜＜８６＞の何れかに記載の硬質物品用洗浄剤組成物。
＜８８＞
カルボベタイン型界面活性剤及びアルカノールアミド型界面活性剤から選ばれる界面活性剤の配合量が、配合原料中、５質量％以下である、＜７６＞〜＜８６＞の何れかに記載の硬質物品用洗浄剤組成物。
＜８９＞
カルボベタイン型界面活性剤及びアルカノールアミド型界面活性剤から選ばれる界面活性剤の配合量が、配合原料中、１質量％以下である、＜７６＞〜＜８６＞の何れかに記載の硬質物品用洗浄剤組成物。
＜９０＞
カルボベタイン型界面活性剤及びアルカノールアミド型界面活性剤から選ばれる界面活性剤の配合量が、配合原料中、０．１質量％以下である、＜７６＞〜＜８６＞の何れかに記載の硬質物品用洗浄剤組成物。
＜９１＞
カルボベタイン型界面活性剤及びアルカノールアミド型界面活性剤から選ばれる界面活性剤の配合量が、配合原料中、０．０１質量％以下である、＜７６＞〜＜８６＞の何れかに記載の硬質物品用洗浄剤組成物。
＜９２＞
カルボベタイン型界面活性剤及びアルカノールアミド型界面活性剤から選ばれる界面活性剤の配合量が、配合原料中、０質量％である、＜７６＞〜＜８６＞の何れかに記載の硬質物品用洗浄剤組成物。【００６３】
＜９３＞
３０℃以上の洗浄液として用いられる、＜７６＞〜＜９２＞の何れかに記載の硬質物品用洗浄剤組成物。【００６４】
＜９４＞
（ａ）ＩＯＳ−Ｋと（ｂ）硬度が５°ＤＨ以上の水とを配合してなる組成物の、硬質物品用洗浄剤としての使用。
＜９５＞
（ａ）ＩＯＳ−Ｋと（ｂ）硬度が５°ＤＨ以上の水とを配合してなる組成物の、３０℃以上の洗浄液として用いられる硬質物品用洗浄剤としての使用。【００６５】
実施例
[製造例１（炭素数１８の内部オレフィンの製造）]
攪拌装置付きフラスコに１−オクタデカノール（製品名：カルコール８０９８、花王株式会社製）７０００ｇ（２５．９モル）、固体酸触媒としてγ−アルミナ（ＳＴＲＥＭ  Ｃｈｅｍｉｃａｌｓ，Ｉｎｃ社）７００ｇを仕込み、攪拌下、２８０℃にて系内に窒素（７０００ｍＬ／分）を流通させながら、反応を行った。反応時間を適宜調整することにより、二重結合分布の異なる内部オレフィンを製造した。【００６６】
[製造例２（炭素数１８の内部オレフィンスルホン酸カリウム塩の製造）]
製造例１で製造した内部オレフィンそれぞれを、薄膜式スルホン化反応器（内径１４ｍｍφ、長さ４ｍ）に入れ、反応器外部ジャケットに２０℃の冷却水を通液する条件下で、ＳＯ３濃度２．８容量％の三酸化硫黄ガスを用いてスルホン化反応を行った。尚、ＳＯ３／内部オレフィン反応モル比は１．０９に設定した。
得られたスルホン化物を、理論酸価（ＡＶ）に対し１．２モル倍になるよう水酸化カリウムを添加したアルカリ水溶液へ添加し、攪拌しながら３０℃で１時間中和した。中和物をオートクレーブ中で１６０℃、１時間加熱することで加水分解を行い、炭素数１８の内部オレフィンスルホン酸のカリウム塩粗生成物を得た。
得られた粗生成物３００ｇを分液漏斗に移し、エタノール３００ｍＬを加えた後、１回あたり石油エーテル３００ｍＬを加えて油溶性の不純物を抽出除去した。この際、エタノールの添加により油水界面に析出した芒硝等の成分も、油水分離操作により水相から分離除去し、この操作を３回おこなった。水相側を蒸発乾固して、炭素数１８の内部オレフィンスルホン酸のカリウム塩を得た。この化合物は、表中、Ｃ１８、Ｋ塩と表示される。【００６７】
[製造例３（炭素数１８の内部オレフィンスルホン酸ナトリウム塩の製造）]
製造例１で製造した内部オレフィンを、薄膜式スルホン化反応器（内径１４ｍｍφ、長さ４ｍ）に入れ、反応器外部ジャケットに２０℃の冷却水を通液する条件下で、ＳＯ３濃度２．８容量％の三酸化硫黄ガスを用いてスルホン化反応を行った。尚、ＳＯ３／内部オレフィン反応モル比は１．０９に設定した。
得られたスルホン化物を、理論酸価（ＡＶ）に対し１．２モル倍になるよう水酸化ナトリウムを添加したアルカリ水溶液へ添加し、攪拌しながら３０℃で１時間中和した。中和物をオートクレーブ中で１６０℃、１時間加熱することで加水分解を行い、炭素数１８の内部オレフィンスルホン酸のナトリウム塩粗生成物を得た。
得られた粗生成物３００ｇを分液漏斗に移し、エタノール３００ｍＬを加えた後、１回あたり石油エーテル３００ｍＬを加えて油溶性の不純物を抽出除去した。この際、エタノールの添加により油水界面に析出した芒硝等の成分も、油水分離操作により水相から分離除去し、この操作を３回おこなった。水相側を蒸発乾固して、炭素数１８の内部オレフィンスルホン酸のナトリウム塩を得た。この化合物は、表中、Ｃ１８、Ｎａ塩と表示される。【００６８】
[製造例４（炭素数１６の内部オレフィンの製造]]
攪拌装置付きフラスコに１−ヘキサデカノール（製品名：カルコール６０９８、花王株式会社製）７０００ｇ（２８．９モル）、固体酸触媒としてγ−アルミナ（ＳＴＲＥＭ  Ｃｈｅｍｉｃａｌｓ，Ｉｎｃ社）７００ｇを仕込み、攪拌下、２８０℃にて系内に窒素（７０００ｍＬ／分）を流通させながら、反応を行った。反応時間を適宜調整することにより、二重結合分布の異なる内部オレフィンを製造した。【００６９】
[製造例５（炭素数１６／１８内部オレフィンスルホン酸カリウム塩の製造）]
製造例１で製造した内部オレフィン及び製造例３で製造した内部オレフィンを、製造例１の内部オレフィン／製造例３の内部オレフィンの質量比で８０／２０で混合することで、炭素数１６／１８の内部オレフィンを得た。このオレフィンを薄膜式スルホン化反応器（内径１４ｍｍφ、長さ４ｍ）に入れ、反応器外部ジャケットに２０℃の冷却水を通液する条件下で、ＳＯ３濃度２．８容量％の三酸化硫黄ガスを用いてスルホン化反応を行った。尚、ＳＯ３／内部オレフィン反応モル比は１．０９に設定した。
得られたスルホン化物を、理論酸価（ＡＶ）に対し１．２モル倍になるよう水酸化カリウムを添加したアルカリ水溶液へ添加し、攪拌しながら３０℃で１時間中和した。中和物をオートクレーブ中で１６０℃、１時間加熱することで加水分解を行い、炭素数１６／１８の内部オレフィンスルホン酸のカリウム塩粗生成物を得た。
得られた粗生成物３００ｇを分液漏斗に移し、エタノール３００ｍＬを加えた後、１回あたり石油エーテル３００ｍＬを加えて油溶性の不純物を抽出除去した。この際、エタノールの添加により油水界面に析出した芒硝等の成分も、油水分離操作により水相から分離除去し、この操作を３回おこなった。水相側を蒸発乾固して、炭素数１６／１８の内部オレフィンスルホン酸のカリウム塩を得た。この化合物は、表中、Ｃ１６／Ｃ１８、Ｋ塩と表示される。【００７０】
（１）洗浄液用濃厚組成物の調製
表１〜３に示す（ａ）成分及びイオン交換水を用いて、（ａ）成分の含有量が２５質量％の洗浄液用濃厚組成物を調製した。なお、表３では（ａ）成分に該当しない化合物も（ａ）成分として示した。【００７１】
（２）評価
（２−１）洗浄力の評価
スライドガラスもしくはポリプロピレン板（表中、ＰＰと表記した）の質量を測定した（風袋質量）。スライドガラスもしくはポリプロピレン板に牛脂を０．１ｇ塗布し、固化させてテストピース（１）とした。テストピース（１）の質量（洗浄前質量）を測定した。
洗浄液用濃厚組成物１ｇを１０００ｍＬの（ｂ）成分で希釈して洗浄液を調製した。
洗浄液とテストピース（１）を、ＪＩＳ  Ｋ  ３３６２  ９．２「台所用合成洗剤の洗浄力評価方法」記載の試験機にセットし、表１〜３の洗浄温度で３分間攪拌洗浄した。洗浄後、テストピース（１）を表１〜３の硬度の水ですすいだ。
すすぎの後、テストピース（１）を乾燥させて質量（洗浄後質量）を測定し、洗浄前質量と対比して、洗浄できた牛脂の量を算出し、以下の式で洗浄率を求めた。結果を表１〜３に示した。
洗浄率（％）＝｛（洗浄前質量）−（洗浄後質量）｝／｛（洗浄前質量）−（風袋質量）｝×１００【００７２】
（２−２）すすぎ性の評価
洗浄液用濃厚組成物１ｇを、表１〜３の硬度の水で３０倍希釈して洗浄液を調製した。
スポンジ（キクロン(株)製キクロンＡ）に洗浄液３０ｇを吸収させ、１０回揉むことにより、泡立ててそのうちの３ｇの泡をメスシリンダー（ＡＲＲＯＷ製２０００ｍＬ：底面積５０ｃｍ２）に添加した。
表１〜３の温度及び硬度の水をメスシリンダーの上部より連続的に滴下した。
滴下は、底面積７ｃｍ２の樹脂脂製瓶の底に径１ｍｍの穴を１９個有する器具を用い、合計２０ｍＬ／秒の速度で行った。
滴下直後の泡の状態を観察し、泡が切れてメスシリンダーの上部から水面が確認できた時を終点とし、その時点での水の添加量を記録した。結果を表１〜３に示した。【００７３】
【表１】
0006482050.tif 000003
【００７４】
【表２】
0006482050.tif 000004
【００７５】
【表３】
0006482050.tif 000005
【００７６】
（注１）水の硬度：洗浄液の調製及びすすぎ性の評価に用いた水の硬度
（注２）温度：洗浄時の温度又はすすぎ性の評価に用いた水の温度【００７７】
表中、（ａ）成分の炭素数で、Ｃ１８は炭素数１８であることを意味する。
また、表中、（ａ）成分の２位スルホン酸率は、（ａ）成分中のスルホン酸基が２位に存在するＩＯＳ−Ｋ又はＩＯＳ−Ｎａの割合である。
また、表中、（ｂ）成分に該当しない硬度の水も便宜的に（ｂ）成分の欄に示した。
なお、表２、３には、表１の一部の実施例、比較例を再度掲示した。
【要約】
本発明は、（ａ）内部オレフィンスルホン酸のカリウム塩と（ｂ）硬度が５°ＤＨ以上の水とを混合して得た洗浄液を硬質物品と接触させる接触工程と、接触工程後の硬質物品を硬度が５°ＤＨ以上の水ですすぐ工程とを有する硬質物品の洗浄方法であって、前記接触工程の少なくとも一部で、３０℃以上の前記洗浄液を硬質物品と接触させる、硬質物品の洗浄方法である。